(57)【要約】【課題】  本考案は、ソシアルダンス用のシューズがダンス中に離脱またはずれが生じることを防止すると仮にダンス中のシューズのずれ等が生じた場合にずれの修正を行うものである。併せて着脱を容易にすると共に装着時の足の圧迫を少なくすることを課題とする。  またシューズの美観を損ねることなく装着し得ることを課題とする。【解決手段】  上記課題は所定幅を有する略輪状のソシアルダンス用のシューズの離脱防止用シューズベルトであって、透明又は半透明の伸縮可能な軟質合成樹脂よりなるソシアルダンス用のシューズの離脱防止用シューズベルトにより達せられる。【選択図】      図１
0003110644.tif 000002
【実用新案登録請求の範囲】
【請求項１】
所定幅を有する略輪状のソシアルダンス用のシューズの離脱防止用シューズベルト３であって、
透明又は半透明の伸縮可能な軟質合成樹脂よりなることを特徴とするソシアルダンス用のシューズの離脱防止用シューズベルト。
【請求項２】
所定幅を有する略輪状のソシアルダンス用のシューズの離脱防止用シューズベルト３であって、
透明又は半透明の伸縮可能な軟質合成樹脂よりなる略筒状の原反を輪切りに切断して形成したことを特徴とするソシアルダンス用のシューズの離脱防止用シューズベルト。
【請求項３】
所定幅を有する略輪状のソシアルダンス用のシューズの離脱防止用シューズベルト３であって、
透明又は半透明の伸縮可能な軟質合成樹脂よりなる略帯状のシートの両端部を接着又は融着又は係止具で係着して略輪状に形成したことを特徴とするソシアルダンス用のシューズの離脱防止用シューズベルト。
【請求項４】
所定幅を有する略輪状のソシアルダンス用のシューズの離脱防止用シューズベルト３であって、
透明又は半透明の伸縮可能な軟質合成樹脂よりなる略帯状のシートの両端部に連結金具４を配設し、
この両端部の連結金具４同志を連結することで着脱可能に略輪状のベルトを形成したことを特徴とするソシアルダンス用のシューズの離脱防止用シューズベルト。
【請求項５】
所定幅が約１ｃｍ乃至３ｃｍの幅であることを特徴とする請求項１乃至請求項４のいずれかに記載のソシアルダンス用のシューズの離脱防止用シューズベルト。
【請求項６】
所定幅が約２ｃｍの幅であることを特徴とする請求項１乃至請求項５のいずれかに記載のソシアルダンス用のシューズの離脱防止用シューズベルト。
【請求項７】
透明又は半透明の伸縮可能な軟質合成樹脂に代えて肌色又はベージュ系の色彩を有する伸縮可能な軟質合成樹脂よりなることを特徴とする請求項１乃至請求項６のいずれかに記載のソシアルダンス用のシューズの離脱防止用シューズベルト。
【考案の詳細な説明】
【技術分野】
【０００１】
本考案は、ソシアルダンス用のシューズの離脱防止用シューズベルトに関する。
【背景技術】
【０００２】
従来より、ソシアルダンス用のシューズは爪先部分を紐や帯状バンドで固定すると共に足首部分を紐で固定して足にきっちりと固定するシューズ、またはいわゆるパンプス形状の足首の固定のないシューズが多用されている。
これらのシューズは足の大きさにきっちりと適合したものを用いダンス中の動きに耐え得ると共に動き易さを有するものが多用されている。
また、これらのソシアルダンス用のシューズはこのほか外観上の華やかさも要求されるものである。
【考案の開示】
【考案が解決しようとする課題】
【０００３】
この場合、このソシアルダンス用のシューズは足の大きさにきっちりと適合させてダンス中の靴の離脱を防止しているが、動きの激しい動作がある場合にはダンス中に靴が脱げてしまう場合もある。
これは特にパンプス形状の足首の固定のないシューズに生じ易い。
このほか爪先部分を紐や帯状バンドで固定すると共に足首部分を紐で固定して足にきっちりと固定するシューズにおいても激しい動作が要求されるダンス中にはシューズのずれ等が生じ転倒する可能性もある。
ソシアルダンスにおいては、シユーズの美観が重視され、シューズの離脱防止の機能が若干阻害される場合が生じ易いと共に、例えばダンスに際しドレスとの調和上自己の希望するシューズが離脱しやすいものであったり、履いているシューズのずれが生じるものである場合もある。
【０００４】
この様な場合例えば紐などでシューズを足に固定することも考えられるが、足首部分をも固定してしまい、ダンス動作の妨げになる可能性が生ずると共に足に負担をかけてしまい固定部分の痛みなどが生じてしまう。
併せて美観上においても紐などが目だってしまい優雅さを競うダンスにおいては用いにくいものである。
また、布ベルトを用いて靴と足とを押えるものもあるが、シューズと足を固定し過ぎてしまい、ダンスにおける優雅な動きを阻害することとなる。
併せて、布ベルトでは一旦生じた足とシューズのずれは直すことができず足を挫いたりしてしまう虞れもある。
また美観上においても布自体に色彩が施してあり、この布ベルトが目立ってしまい、全体のバランスを崩してしまうものであった。
【課題を解決するための手段】
【０００５】
本考案は係る欠点を解消するため請求項１に記載の考案は所定幅を有する略輪状のソシアルダンス用のシューズの離脱防止用シューズベルトであって、透明又は半透明の伸縮可能な軟質合成樹脂よりなるソシアルダンス用のシューズの離脱防止用シューズベルトより、係る考案により本課題を解決できる。
このほか請求項２に係る考案の様に所定幅を有する略輪状のソシアルダンス用のシューズの離脱防止用シューズベルトであって、透明又は半透明の伸縮可能な軟質合成樹脂よりなる略筒状の原反を輪切りに切断して形成したソシアルダンス用のシューズの離脱防止用シューズベルトによっても同様に解決できる。
或いは請求項３に係る考案のように所定幅を有する略輪状のソシアルダンス用のシューズの離脱防止用シューズベルトであって、透明又は半透明の伸縮可能な軟質合成樹脂よりなる略帯状のシートの両端部を接着又は融着又は係止具で係着して略輪状に形成したソシアルダンス用のシューズの離脱防止用シューズベルトによっても同様である。
【０００６】
このほか請求項４に係る考案のように所定幅を有する略輪状のソシアルダンス用のシューズの離脱防止用シューズベルトであって、透明又は半透明の伸縮可能な軟質合成樹脂よりなる略帯状のシートの両端部に連結金具を配設し、この両端部の連結金具同志を連結することで着脱可能に略輪状のベルトを形成したソシアルダンス用のシューズの離脱防止用シューズベルトによっても解決できる。
特に請求項５に係る考案のように所定幅が約１ｃｍ乃至３ｃｍの幅であるソシアルダンス用のシューズの離脱防止用シューズベルトによって最適な効果を発揮できる。
【０００７】
或いはこの範囲中において最も好適である請求項６に示す考案の様に所定幅が約２ｃｍの幅であるソシアルダンス用のシューズの離脱防止用シューズベルトによって、見栄えがよくかつシューズのずれや離脱の防止が可能である。
なお、色彩に関しては請求項７に係る考案のように透明又は半透明の伸縮可能な軟質合成樹脂に代えて肌色又はベージュ系の色彩を有する伸縮可能な軟質合成樹脂よりなるソシアルダンス用のシューズの離脱防止用シューズベルトによっても見栄えを保つことが可能である。
【考案の効果】
【０００８】
１．本考案に係るソシアルダンス用のシューズの離脱防止用シューズベルトによりダンス中の靴の離脱を防止できると共にダンス中のシューズと足のずれが生じた場合にあってもその弾性によりずれの修正を行なえる。
２．伸縮性を有する軟質合成樹脂であることから足とシューズへの着脱は容易にできると共に装着時にも足を圧迫するようなことはない。
３．透明又は半透明な伸縮性を有する軟質合成樹脂よりなり、シューズの美観を損ねることなく装着できる。
この場合肌色又はベージュ系の色彩のものであっても目立たない色彩であることから美観を損ねることがない。
【考案を実施するための最良の形態】
【０００９】
図１は、本考案に係るソシアルダンス用のシューズの離脱防止用シューズベルトを用いた一実施の状態を示す図である。
１はパンプス形状のシューズであり、２は足である。
シューズ１の爪先部分１０からヒール部分１１間の中間部分で足２の甲との間に本離脱防止用シューズベルト３が巻回されている。
従って、足２とシューズ１を履いた状態で固定することを可能とする。
この様なソシアルダンス用のシューズの離脱防止用シューズベルト３は軟質合成樹脂製よりなり幅広の輪形状よりなるものである。
従って伸縮可能な軟質合成樹脂より構成されるものであることからその弾性により足２とシューズ１を一定の弾圧力で包み込み激しい動きを伴うダンス中にあっても靴の離脱は防止できる。
また、一定の弾圧力にて包み込むことから足２を不必要にきつくシューズ１に固定するものではなくダンスの動きを阻害することはない。
【００１０】
特にこの弾圧力により激しい動き中におけるシューズ１と足２との間におけるずれなどが生じても順次もとの位置に足２を戻すことを可能とし、ダンス中のシューズ１と足２のずれによる転倒等を防止できるものである。
なお、軟質合成樹脂製であり伸縮を有することから本シューズベルト３を極めて容易に着脱できる。
また、装着時においても伸縮性を有することから足２への圧迫感がないと共に軟質合成樹脂製である為、フィット感も極めて良好である。
この様に構成されるソシアルダンス用のシューズ１の離脱防止用シューズベルト３は、例えば透明や半透明あるいは肌色又はベージュ系の色彩等の余り目立たない色彩のものが最も好ましい。
これは競技などにおける全体の優雅さを要求される場合、シューズ離脱防止具が目立ってしまうと全体的な優雅さを阻害する場合もあり、極力目立たないものを用いること事が要求されるからである。
【００１１】
図２は、爪先部分を紐１３で固定すると共に足首部分を紐１４で固定して足２にきっちりと固定するシューズ１において本発明に係るソシアルダンス用のシューズ１の離脱防止用シューズベルト３を用いた状態を示す図である。
本シューズ１においては、爪先部分を紐１３で固定すると共に足首部分を紐１４で固定していることから、ダンス中にシューズ１が離脱してしまうような事は余りないが、激しい動きのダンスにあってはシューズ１がずれて足２を挫いてしまうような場合もあり得る。
従って本考案に係る離脱防止用シューズベルト３を用いることにより、足２とシューズ１とのずれを防止し、かつダンスの激しい動き中にシューズ１がずれても元の位置に修正して足を挫いたり、転倒したりすることを防止できる。
特に、本考案に係る離脱防止用シューズベルト３は透明な合成樹脂製のベルトよりなり、シューズ１のデザインを阻害することなく華やかさの演出が可能である。
また、肌色又はベージュ系の色彩を施すことによってもシューズ１とのバランス上違和感を生じさせず、かつ足の色との関係上目立つこともなくかつシューズの華やかさの維持を可能とする。
【００１２】
このほか本考案に係る離脱防止用シューズベルト３は、その幅は約１ｃｍ乃至４ｃｍ程度の幅を有するものが最適であり、５ｍｍ以下の場合にはシューズ１の離脱防止は可能であるがシューズ１のずれの修正が適格に行えない場合も生じ得ると共に、特定箇所にのみ負担が掛かり足の痛み等が生じてしまう場合もあり得る。
特に２ｃｍ前後の幅が最もフィット感がよく、かつシューズ１の離脱やずれを防止できると共にダンス中にも目立たず、華やかさを損ねる虞れがない。
また円周径はそれぞれの人に合致する長さを有しておれば良く、所定長であればよい。
【００１３】
この様な離脱防止用シューズベルト３は、略筒状のチューブ状の原反から任意の幅を以て輪切りに切断加工して製造してもよく、これにより繋ぎ目のない離脱防止用シューズベルト３を得ることができる。
これは足２とシューズ１にかけて巻回して装着した際に繋ぎ目部分の厚みがないことからフィット感が良くかつ強度を保つ事も可能である。
このほか帯状のシートをその両端部分を接着部材により接着したものであっても、或いは熱融着や超音波等による融着によって接合して略輪状に形成したものであってよい。
このほか係止具を用いて係止して略輪状に形成したものであってもよく、例えば紐や糸等で帯状のシートをその両端部分を重ね併せて縫い付けたものであっても、或いは金具等で両端部を連設係止して略輪状に構成したものであってもよい。
尚、このほか帯状のシートの両端に着脱自在の連結金具４などを配設し、この金具４同志を必要に応じて連結して略輪状に形成して用いたものであってもよい。
着脱自在な金具４を用いることにより装着時にこの連結金具４を用いて連設して輪状に形成して装着でき、外す場合にはこの連結金具４を外すことにより輪状形態から帯状形態に代えて取り外しを容易にできる。
【図面の簡単な説明】
【００１４】
【図１】本考案に係るソシアルダンス用のシューズの離脱防止用シューズベルトの使用状態を示す図
【図２】本考案に係るソシアルダンス用のシューズの離脱防止用シューズベルトの使用状態を示す図
【符号の説明】
【００１５】
１  シューズ
１０  シューズの爪先部分
１３  紐
１４  紐
２  足
３  シューズベルト
４  連結金具
【図１】
0003110644.tif 000003
【図２】
0003110644.tif 000004